(57)【要約】【課題】ラベルに印刷された内容の識別が容易となる台紙付きラベル、この台紙付きラベルのラベルに印刷を行うラベルプリンタを提供する。【解決手段】ラベル１Ａは、色または模様、あるいは、色及び模様で情報を識別可能とする識別エリア１０Ａを備える。ラベル１Ａは、情報として曜日を識別できるようにするため、７個の識別パターン１０Ｓｕｎ、１０Ｍｏｎ、１０Ｔｕｅ、１０Ｗｅｄ、１０Ｔｈｕ、１０Ｆｒｉ、１０Ｓａｔが、識別エリア１０Ａに予め印刷等により設けられる。ラベル１Ａでは、識別パターン１０Ｓｕｎ、１０Ｍｏｎ、１０Ｔｕｅ、１０Ｗｅｄ、１０Ｔｈｕ、１０Ｆｒｉ、１０Ｓａｔが７色に色分けされる。ラベルプリンタでは、消費期限、賞味期限等が到来した特定の曜日を他の曜日と区別して視認可能とするため、該当する曜日の識別パターンに重ねて識別情報が印刷される。【選択図】図１
2020052121.tif 000002
【特許請求の範囲】
【請求項１】
台紙の一の面に貼着された複数のラベルと、
前記ラベルに設けられた、色または模様、あるいは、色及び模様で情報を視覚的に識別可能とする複数の識別パターンと、
前記複数の識別パターンが配置される識別エリアと、
前記台紙の他の面に設けられ、前記識別パターンが設けられていることを示すラベル識別情報と
を備える台紙付きラベル。
【請求項２】
前記複数の識別パターンが、前記識別エリアに、前記ラベルの行方向または列方向に複数並べて設けられる
請求項１に記載の台紙付きラベル。
【請求項３】
７個の前記識別パターンが、それぞれ異なる色、または模様で設けられる
請求項１または請求項２に記載の台紙付きラベル。
【請求項４】
１４個の前記識別パターンが設けられ、
１４個の前記識別パターンは、一方の７個の前記識別パターンと、他方の７個の前記識別パターンに区分され、
一方の７個の前記識別パターンと、他方の７個の前記識別パターンは、前記ラベルの行方向または列方向に並べて設けられ、
一方の７個の前記識別パターンと、他方の７個の前記識別パターンが、前記ラベルの行方向に並べて設けられる場合、前記ラベルの列方向に並ぶ２個の前記識別パターンは、同じ色でかつ異なる模様で構成され、
一方の７個の前記識別パターンと、他方の７個の前記識別パターンが、前記ラベルの列方向に並べて設けられる場合、前記ラベルの行方向に並ぶ２個の前記識別パターンは、同じ色でかつ異なる模様で構成される
請求項１〜請求項２の何れか１項に記載の台紙付きラベル。
【請求項５】
５個の前記識別パターンが、それぞれ異なる色、または模様で設けられると共に、前記識別パターンが設けられていない識別情報印刷エリアが、前記識別パターンと並べて設けられる
請求項１または請求項２に記載の台紙付きラベル。
【請求項６】
期限情報を含む使用期限情報が印刷される第１の印刷エリアを備えた
請求項１〜請求項５の何れか１項に記載の台紙付きラベル。
【請求項７】
前記識別エリアは、前記識別パターン上に識別情報が印刷される第２の印刷エリアとなる
請求項１〜請求項６の何れか１項に記載の台紙付きラベル。
【請求項８】
期限情報を含む使用期限情報が印刷される第１の印刷エリアを備え、
前記識別エリアは、前記識別パターン上に識別情報が印刷される第２の印刷エリアとなる
請求項１〜請求項５の何れか１項に記載の台紙付きラベル。
【請求項９】
請求項８に記載の台紙付きラベルであって、
前記台紙付きラベルはラベルプリンタに装填可能であり、前記ラベル識別情報が前記ラベルプリンタによって前記台紙付きラベルの種別の識別に利用され、
前記種別に応じて前記ラベルプリンタによって前記第１の印刷エリアに前記使用期限情報が印刷され、第２の印刷エリアに前記識別情報が印刷される
台紙付きラベル。
【請求項１０】
色または模様、あるいは、色及び模様で情報を識別可能とする複数の識別パターンが予め設けられているラベルに印刷をする印刷部と、
前記ラベルを搬送する搬送部と、
前記識別パターンの位置を示す識別パターン位置情報を記憶する記憶部と、
年月日及び時刻を特定する日時情報を生成する時計部と、
前記識別パターンに対応して識別情報を前記ラベルに印刷する制御部と
を備えたラベルプリンタ。
【請求項１１】
前記記憶部は、識別パターン位置情報として、前記識別パターンの色または模様、あるいは、色及び模様とラベル上の印刷位置を関連付けて記憶し、
前記制御部は、特定の色または模様、あるいは、色及び模様の前記識別パターンに対応したラベル上の印刷位置に前記識別情報を印刷する
請求項１０に記載のラベルプリンタ。
【請求項１２】
前記記憶部は、前記複数の識別パターンの色または模様、あるいは、色及び模様を曜日と対応させて記憶し、
前記制御部は、前記時計部で生成された日時情報から使用期限情報を算出し、
前記使用期限情報で特定される曜日に対応した色または模様、あるいは、色及び模様の前記識別パターンに対応して前記識別情報を印刷する
請求項１１に記載のラベルプリンタ。
【請求項１３】
７個の前記識別パターンが、それぞれ異なる色または模様、あるいは、色及び模様で設けられ、
前記記憶部は、前記識別パターンの色または模様、あるいは、色及び模様を曜日と対応させて記憶し、
前記制御部は、前記時計部で生成された日時情報から使用期限情報を算出し、
使用期限情報で特定される曜日に対応した色の前記識別パターンに対応して前記識別情報を印刷する
請求項１２に記載のラベルプリンタ。
【請求項１４】
５個の前記識別パターンが、それぞれ異なる色または模様、あるいは、色及び模様で設けられると共に、前記識別パターンが設けられていない識別情報印刷エリアが、前記識別パターンと並べて設けられ、
前記記憶部は、前記識別情報印刷エリアと、前記識別パターンの色または模様、あるいは、色及び模様を曜日と対応させて記憶し、
前記制御部は、前記時計部で生成された日時情報から使用期限情報を算出し、使用期限情報で特定される曜日が前記識別パターンと対応していると、曜日に対応した色の前記識別パターンに対応して前記識別情報を印刷し、
使用期限情報で特定される曜日が前記識別パターンと対応していないと、前記識別情報印刷エリアに識別情報を印刷する
請求項１２に記載のラベルプリンタ。
【請求項１５】
前記制御部は、前記ラベルが剥離可能に貼着された台紙に設けられた前記識別パターンが設けられているかを示すラベル識別情報を読み取り、
前記識別パターンが設けられていると、前記識別パターンに対応して識別情報を前記ラベルに印刷する
請求項１０〜請求項１４の何れか１項に記載のラベルプリンタ。
【発明の詳細な説明】
【技術分野】
【０００１】
本発明は、消費期限、賞味期限等の使用期限情報が印刷されるラベルを備えた台紙付きラベル、及び、台紙付きラベルのラベルに使用期限情報の印刷を行うラベルプリンタに関する。
【背景技術】
【０００２】
ラベルプリンタは、例えば、物品を使用する期限等の使用期限情報をラベルに印刷して期限ラベルを発行する用途で用いられる。
【０００３】
ラベルプリンタでは、使用期限情報が文字や数字で印刷される。これに対し、印刷ジョブや処理期限を示す曜日に応じて、被記録媒体の端を所定の塗り潰し形態で塗り潰す画像形成装置が提案されている（例えば、特許文献１参照）。また、曜日毎に異なる色の、単色の期限管理ラベルが市販されている。
【先行技術文献】
【特許文献】
【０００４】
【特許文献１】特開２０１１−４６１１７号公報
【発明の概要】
【発明が解決しようとする課題】
【０００５】
被記録媒体の端を所定の塗り潰し形態で塗り潰す技術をラベルプリンタに適用し、ラベルに印刷される曜日などの期限情報を、異なる塗り潰し形態で表す場合、塗り潰し形態の視覚上での差異が少ないと、各塗り潰し形態で識別しようとしている曜日等の期限情報の内容を誤って判断する可能性がある。また、色分けされたラベルによる管理方法では、曜日に対応する色のラベルの選択を誤り、内容を誤って判断する可能性があった。また、曜日に対応した色のラベルを選択して交換する手間がかかる。
【０００６】
本発明は、このような課題を解決するためになされたもので、ラベルに印刷された内容の識別が容易となる台紙付きラベル、この台紙付きラベルのラベルに印刷を行うラベルプリンタを提供することを目的とする。
【課題を解決するための手段】
【０００７】
上述した課題を解決するため、本発明は、台紙の一の面に貼着された複数のラベルと、ラベルに設けられた、色または模様、あるいは、色及び模様で情報を視覚的に識別可能とする複数の識別パターンと、複数の識別パターンが配置される識別エリアと、台紙の他の面に設けられ、識別パターンが設けられていることを示すラベル識別情報とを備える台紙付きラベルである。
【０００８】
また、本発明は、色または模様、あるいは、色及び模様で情報を識別可能とする複数の識別パターンが予め設けられているラベルに印刷をする印刷部と、ラベルを搬送する搬送部と、識別パターンの位置を示す識別パターン位置情報を記憶する記憶部と、年月日及び時刻を特定する日時情報を生成する時計部と、識別パターンに対応して識別情報をラベルに印刷する制御部とを備えたラベルプリンタである。
【０００９】
本発明では、識別パターンで識別する情報がある場合、識別パターンに対応して識別情報が印刷される。
【発明の効果】
【００１０】
本発明によれば、識別パターンは、色または模様、あるいは、色及び模様で情報を識別可能としたもので、ラベルに予め印刷されている。そして、ラベル印刷時に、識別パターンで識別する情報があると判断すると、識別パターンに対応して識別情報がラベルに印刷される。これにより、識別情報が印刷された識別パターンを視認することで、ラベルに印刷された内容の識別が容易となる。また、曜日に対応する色のラベルの選択を誤り難くなり、曜日に対応した色のラベルを交換する手間が削減され、作業の効率化につながる。
【図面の簡単な説明】
【００１１】
【図１】第１の実施の形態のラベルの一例を示す構成図である。
【図２】第１の実施の形態のラベルの供給形態の一例を示す構成図である。
【図３Ａ】第１の実施の形態のラベルの使用例を示す構成図である。
【図３Ｂ】第１の実施の形態のラベルの使用例を示す構成図である。
【図４】第２の実施の形態のラベルの一例を示す構成図である。
【図５Ａ】第２の実施の形態のラベルの使用例を示す構成図である。
【図５Ｂ】第２の実施の形態のラベルの使用例を示す構成図である。
【図５Ｃ】第２の実施の形態のラベルの使用例を示す構成図である。
【図５Ｄ】第２の実施の形態のラベルの使用例を示す構成図である。
【図６】第３の実施の形態のラベルの一例を示す構成図である。
【図７Ａ】第３の実施の形態のラベルの使用例を示す構成図である。
【図７Ｂ】第３の実施の形態のラベルの使用例を示す構成図である。
【図８】第４の実施の形態のラベルの一例を示す構成図である。
【図９Ａ】第４の実施の形態のラベルの使用例を示す構成図である。
【図９Ｂ】第４の実施の形態のラベルの使用例を示す構成図である。
【図１０Ａ】本実施の形態のラベルプリンタの一例を示す機能構成図である。
【図１０Ｂ】本実施の形態のラベルプリンタの記憶部の一例を示すテーブルである。
【図１０Ｃ】本実施の形態のラベルプリンタの記憶部の一例を示すテーブルである。
【図１０Ｄ】本実施の形態のラベルプリンタの記憶部の一例を示すテーブルである。
【図１０Ｅ】本実施の形態のラベルプリンタの記憶部の一例を示すテーブルである。
【図１１】本実施の形態のラベルプリンタの一例を示す構成図である。
【図１２】期限ラベル発行処理の一例を示すフローチャートである。
【発明を実施するための形態】
【００１２】
以下、図面を参照して、本発明の台紙付きラベル及びラベルプリンタの実施の形態について説明する。
【００１３】
＜第１の実施の形態のラベルの構成例＞
図１は、第１の実施の形態のラベルの一例を示す構成図である。第１の実施の形態のラベル１Ａは、色または模様、あるいは、色及び模様で情報を識別可能とする識別エリア１０Ａを備える。また、ラベル１Ａは、物品名、物品の消費期限等の期限情報を示す日時等が印刷される印刷エリア１１を備える。
【００１４】
ラベル１Ａは、情報として曜日を識別できるようにするため、７個の識別パターン１０Ｓｕｎ、１０Ｍｏｎ、１０Ｔｕｅ、１０Ｗｅｄ、１０Ｔｈｕ、１０Ｆｒｉ、１０Ｓａｔが、識別エリア１０Ａに予め印刷等により設けられる。
【００１５】
ラベル１Ａでは、識別パターン１０Ｓｕｎ、１０Ｍｏｎ、１０Ｔｕｅ、１０Ｗｅｄ、１０Ｔｈｕ、１０Ｆｒｉ、１０Ｓａｔが７色に色分けされる。なお、図面では各識別パターンをモノクロで示すため、色をハッチング、格子等に置き換えて区別している。
【００１６】
ラベル１Ａは、ラベル１Ａの横方向を行方向、縦方向を列方向としたとき、ラベル１Ａの列方向の先端側（ラベル上段側）に、識別エリア１０Ａが設けられる。
【００１７】
識別パターン１０Ｓｕｎ、１０Ｍｏｎ、１０Ｔｕｅ、１０Ｗｅｄ、１０Ｔｈｕ、１０Ｆｒｉ、１０Ｓａｔは、識別エリア１０Ａを、ラベル１Ａの行方向に７色で色分けされて構成される。また、識別パターン１０Ｓｕｎ、１０Ｍｏｎ、１０Ｔｕｅ、１０Ｗｅｄ、１０Ｔｈｕ、１０Ｆｒｉ、１０Ｓａｔは、ラベル１Ａの行方向に直線上に並べて構成される。なお、本明細書の色分けとは、色、または模様、あるいは、色及び模様により、識別エリア１０Ａを視覚的に把握できるようにするものを意味する。
【００１８】
各識別パターン１０Ｓｕｎ、１０Ｍｏｎ、１０Ｔｕｅ、１０Ｗｅｄ、１０Ｔｈｕ、１０Ｆｒｉ、１０Ｓａｔは、本例では同じ大きさである。なお、識別パターン１０Ｓｕｎ、１０Ｍｏｎ、１０Ｔｕｅ、１０Ｗｅｄ、１０Ｔｈｕ、１０Ｆｒｉ、１０Ｓａｔは、隣り合う識別パターンの間にラベル色、本例では白色の部分が設けられている。
【００１９】
識別パターン１０Ｓｕｎは、特定の曜日、本例では日曜日を示す。識別パターン１０Ｓｕｎは、例えば赤色で塗られている。各図では、赤色を右下がりのハッチングで示している。
【００２０】
識別パターン１０Ｍｏｎは、特定の曜日、本例では月曜日を示す。識別パターン１０Ｍｏｎは、例えば黄色で塗られている。各図では、黄色を右上がりのハッチングで示している。
【００２１】
識別パターン１０Ｔｕｅは、特定の曜日、本例では火曜日を示す。識別パターン１０Ｔｕｅは、例えば桃色で塗られている。各図では、桃色を縦縞模様で示している。
【００２２】
識別パターン１０Ｗｅｄは、特定の曜日、本例では水曜日を示す。識別パターン１０Ｗｅｄは、例えば紫色で塗られている。各図では、紫色を横縞模様で示している。
【００２３】
識別パターン１０Ｔｈｕは、特定の曜日、本例では木曜日を示す。識別パターン１０Ｔｈｕは、例えば緑色で塗られている。各図では、緑色を縦横の格子模様で示している。
【００２４】
識別パターン１０Ｆｒｉは、特定の曜日、本例では金曜日を示す。識別パターン１０Ｆｒｉは、例えば橙色で塗られている。各図では、橙色を斜めの格子のチェック模様で示している。
【００２５】
識別パターン１０Ｓａｔは、特定の曜日、本例では土曜日を示す。識別パターン１０Ｓａｔは、例えば青色で塗られている。各図では、青色を斜めの格子模様で示している。
【００２６】
図２は、第１の実施の形態のラベルの供給形態の一例を示す構成図である。ラベル１Ａは、長尺の台紙１２に剥離可能に貼着された台紙付きラベルＬｂの形態で供給される。台紙付きラベルＬｂは、ロール状に巻かれた形態で供給される。台紙１２のラベル１Ａが貼着されている側の反対側の面である裏面には、ラベル１Ａが正規のものであるか、ラベル１Ａに上述した各識別パターンを有した識別エリア１０Ａが設けられているか等のラベル識別情報１２ａが、２次元コード等、符号化された情報として印刷されている。台紙付きラベルＬｂは、後述するラベルプリンタに装填可能であり、ラベル識別情報１２ａがラベルプリンタによって台紙付きラベルＬｂの種別の識別に利用される。
【００２７】
図３Ａ、図３Ｂは、第１の実施の形態のラベルの使用例を示す構成図である。ラベル１Ａは、特定の曜日を他の曜日と区別して視認可能とするため、該当する曜日の識別パターンに重ねて識別情報１３が印刷される。
【００２８】
識別情報１３は、識別パターン１０Ｓｕｎ、１０Ｍｏｎ、１０Ｔｕｅ、１０Ｗｅｄ、１０Ｔｈｕ、１０Ｆｒｉ、１０Ｓａｔを囲う枠１３ａと、曜日、日付等の文字情報１３ｂで構成される。枠１３ａは、識別パターン１０Ｓｕｎ、１０Ｍｏｎ、１０Ｔｕｅ、１０Ｗｅｄ、１０Ｔｈｕ、１０Ｆｒｉ、１０Ｓａｔの外形に沿った四角形で構成される。文字情報１３ｂは、識別パターン１０Ｓｕｎ、１０Ｍｏｎ、１０Ｔｕｅ、１０Ｗｅｄ、１０Ｔｈｕ、１０Ｆｒｉ、１０Ｓａｔの色に対応した曜日と、曜日に対応した日付が文字で印刷される。識別情報１３の色は、識別パターン１０Ｓｕｎ、１０Ｍｏｎ、１０Ｔｕｅ、１０Ｗｅｄ、１０Ｔｈｕ、１０Ｆｒｉ、１０Ｓａｔ及びラベル色と異なり、本例ではラベルプリンタで印刷可能な黒である。
【００２９】
図３Ａでは、物品の消費期限または賞味期限が土曜日である場合に印刷されるラベル１Ａを示す。この場合、識別パターン１０Ｓａｔに重ねて識別情報１３が印刷される。識別情報１３では、枠１３ａで識別パターン１０Ｓａｔが囲われる。また、識別パターン１０Ｓａｔの色、本例では青色に対応した曜日である土曜日を示す文字と、曜日に対応した日付が文字で印刷される。
【００３０】
なお、印刷エリア１１には、物品名１１ａ、消費期限または賞味期限等の期限情報１１ｂが文字で印刷される。２次元コード等の符号化情報１１ｃが印刷されても良い。また、物品名１１ａ、消費期限または賞味期限等の期限情報１１ｂ、符号化情報１１ｃ等が使用期限情報として印刷される印刷エリア１１を第１の印刷エリアとも称す。さらに、各識別パターン上に識別情報１３が印刷される識別エリア１０Ａを第２の印刷エリアとも称す。
【００３１】
図３Ｂでは、物品の消費期限または賞味期限が月曜日である場合に印刷されるラベル１Ａを示す。この場合、識別パターン１０Ｍｏｎに重ねて識別情報１３が印刷される。識別情報１３では、枠１３ａで識別パターン１０Ｍｏｎが囲われる。また、識別パターン１０Ｍｏｎの色、本例では黄色に対応した曜日である月曜日を示す文字と、曜日に対応した日付が文字で印刷される。
【００３２】
印刷エリア１１には、物品名１１ａ、消費期限または賞味期限等の期限情報１１ｂ及び符号化情報１１ｃが使用期限情報として印刷される。
【００３３】
第１の実施の形態のラベル１Ａでは、曜日に対応して７色で区別された識別パターン１０Ｓｕｎ、１０Ｍｏｎ、１０Ｔｕｅ、１０Ｗｅｄ、１０Ｔｈｕ、１０Ｆｒｉ、１０Ｓａｔが予め印刷される。このラベル１Ａの使用形態としては、消費期限、賞味期限等が到来した特定の曜日を他の曜日と区別して視認可能とするため、該当する曜日の識別パターンに重ねて識別情報１３が印刷される。
【００３４】
これにより、識別パターン１０Ｓｕｎ、１０Ｍｏｎ、１０Ｔｕｅ、１０Ｗｅｄ、１０Ｔｈｕ、１０Ｆｒｉ、１０Ｓａｔの中で、識別情報１３が印刷された識別パターンの色を見ることで、曜日を容易に認識できる。
【００３５】
また、ラベル１Ａは、識別パターン１０Ｓｕｎ、１０Ｍｏｎ、１０Ｔｕｅ、１０Ｗｅｄ、１０Ｔｈｕ、１０Ｆｒｉ、１０Ｓａｔが予め印刷されているので、ラベル１Ａに印刷を行うラベルプリンタは、カラー印刷を行う機能が必要ない。
【００３６】
なお、識別情報１３は、本例では識別パターン１０Ｓｕｎ、１０Ｍｏｎ、１０Ｔｕｅ、１０Ｗｅｄ、１０Ｔｈｕ、１０Ｆｒｉ、１０Ｓａｔに重ねて印刷される形態としたが、識別パターンの外部に、該当する識別パターンを指す矢印等を印刷しても良い。
【００３７】
＜第２の実施の形態のラベルの構成例＞
図４は、第２の実施の形態のラベルの一例を示す構成図である。第２の実施の形態のラベル１Ｂは、色または模様、あるいは、色及び模様で情報を識別可能とする識別エリア１０Ｂを備える。また、ラベル１Ｂは、物品名、物品の消費期限等の期限情報を示す日時等が印刷される印刷エリア１１を備える。上述したように、印刷エリア１１は第１の印刷エリアとも称し、識別エリア１０Ｂは第２の印刷エリアとも称す。
【００３８】
ラベル１Ｂは、情報として曜日を識別できるようにするため、５個の識別パターン１０Ｍｏｎ、１０Ｔｕｅ、１０Ｗｅｄ、１０Ｔｈｕ、１０Ｆｒｉが、識別エリア１０Ｂに予め印刷等により設けられる。また、ラベル１Ｂは、識別パターン１０Ｍｏｎ、１０Ｔｕｅ、１０Ｗｅｄ、１０Ｔｈｕ、１０Ｆｒｉに含まれない残りの曜日について、後述する識別情報を印刷する識別情報印刷エリア１４Ｂが、識別エリア１０Ｂに設けられる。
【００３９】
ラベル１Ｂでは、識別パターン１０Ｍｏｎ、１０Ｔｕｅ、１０Ｗｅｄ、１０Ｔｈｕ、１０Ｆｒｉが５色に色分けされる。なお、図面では各識別パターンをモノクロで示すため、色をハッチング、格子等に置き換えて区別している。
【００４０】
ラベル１Ｂは、ラベル１Ｂの横方向を行方向、縦方向を列方向としたとき、ラベル１Ｂの列方向の先端側（ラベル上段側）に、識別エリア１０Ｂが設けられる。
【００４１】
識別パターン１０Ｍｏｎ、１０Ｔｕｅ、１０Ｗｅｄ、１０Ｔｈｕ、１０Ｆｒｉは、識別エリア１０Ｂを、ラベル１Ｂの行方向に５色で色分けされて構成される。また、識別情報印刷エリア１４Ｂは、識別パターン１つ分より若干大きな領域をラベル色、本例では印刷が行われていない白色の部分で構成される。さらに、識別パターン１０Ｍｏｎ、１０Ｔｕｅ、１０Ｗｅｄ、１０Ｔｈｕ、１０Ｆｒｉと、識別情報印刷エリア１４Ｂは、ラベル１Ｂの行方向に直線上に並べて構成される。
【００４２】
各識別パターン１０Ｍｏｎ、１０Ｔｕｅ、１０Ｗｅｄ、１０Ｔｈｕ、１０Ｆｒｉは、本例では同じ大きさである。なお、識別パターン１０Ｍｏｎ、１０Ｔｕｅ、１０Ｗｅｄ、１０Ｔｈｕ、１０Ｆｒｉは、隣り合う識別パターンの間にラベル色、本例では白色の部分が設けられている。
【００４３】
識別パターン１０Ｍｏｎ、１０Ｔｕｅ、１０Ｗｅｄ、１０Ｔｈｕ、１０Ｆｒｉは、第１の実施の形態のラベル１Ａと同等で良く、識別パターン１０Ｍｏｎは、特定の曜日、本例では月曜日を示す。識別パターン１０Ｍｏｎは、例えば黄色で塗られている。各図では、黄色を右上がりのハッチングで示している。
【００４４】
識別パターン１０Ｔｕｅは、特定の曜日、本例では火曜日を示す。識別パターン１０Ｔｕｅは、例えば桃色で塗られている。各図では、桃色を縦縞模様で示している。
【００４５】
識別パターン１０Ｗｅｄは、特定の曜日、本例では水曜日を示す。識別パターン１０Ｗｅｄは、例えば紫色で塗られている。各図では、紫色を横縞模様で示している。
【００４６】
識別パターン１０Ｔｈｕは、特定の曜日、本例では木曜日を示す。識別パターン１０Ｔｈｕは、例えば緑色で塗られている。各図では、緑色を縦横の格子模様で示している。
【００４７】
識別パターン１０Ｆｒｉは、特定の曜日、本例では金曜日を示す。識別パターン１０Ｆｒｉは、例えば橙色で塗られている。各図では、橙色を斜めの格子のチェック模様で示している。
【００４８】
ラベル１Ｂは、図２で説明した第１の実施の形態のラベル１Ａと同様に、長尺の台紙に剥離可能に張り付けられた台紙付きラベルＬｂの形態で供給される。
【００４９】
図５Ａ、図５Ｂ、図５Ｃ及び図５Ｄは、第２の実施の形態のラベルの使用例を示す構成図である。ラベル１Ｂは、識別パターン１０Ｍｏｎ、１０Ｔｕｅ、１０Ｗｅｄ、１０Ｔｈｕ、１０Ｆｒｉで表される曜日のうち、特定の曜日を他の曜日と区別して視認可能とするため、該当する曜日の識別パターンに重ねて識別情報１３が印刷される。
【００５０】
識別情報１３は、識別パターン１０Ｍｏｎ、１０Ｔｕｅ、１０Ｗｅｄ、１０Ｔｈｕ、１０Ｆｒｉを囲う枠１３ａと、曜日、日付等の文字情報１３ｂで構成される。枠１３ａは、識別パターン１０Ｍｏｎ、１０Ｔｕｅ、１０Ｗｅｄ、１０Ｔｈｕ、１０Ｆｒｉの外形に沿った四角形で構成される。文字情報１３ｂは、識別パターン１０Ｍｏｎ、１０Ｔｕｅ、１０Ｗｅｄ、１０Ｔｈｕ、１０Ｆｒｉの色に対応した曜日と、曜日に対応した日付が文字で印刷される。識別情報１３の色は、識別パターン１０Ｍｏｎ、１０Ｔｕｅ、１０Ｗｅｄ、１０Ｔｈｕ、１０Ｆｒｉ及びラベル色と異なり、本例ではラベルプリンタで印刷可能な黒である。
【００５１】
図５Ａでは、識別パターン１０Ｍｏｎ、１０Ｔｕｅ、１０Ｗｅｄ、１０Ｔｈｕ、１０Ｆｒｉで表される曜日について、物品の消費期限または賞味期限が到来した場合に印刷されるラベル１Ｂを示す。図５Ａでは、例えば、物品の消費期限または賞味期限が木曜日である場合に印刷されるラベル１Ｂを示す。この場合、識別パターン１０Ｔｈｕに重ねて識別情報１３が印刷される。識別情報１３では、枠１３ａで識別パターン１０Ｔｈｕが囲われる。また、識別パターン１０Ｔｈｕの色、本例では緑色に対応した曜日である木曜日を示す文字と、曜日に対応した日付が文字で印刷される。
【００５２】
印刷エリア１１には、物品名１１ａ、消費期限または賞味期限等の期限情報１１ｂ及び符号化情報１１ｃが使用期限情報として印刷される。
【００５３】
図５Ｂ、図５Ｃでは、識別パターン１０Ｍｏｎ、１０Ｔｕｅ、１０Ｗｅｄ、１０Ｔｈｕ、１０Ｆｒｉで表されない残りの曜日について、物品の消費期限または賞味期限が到来した場合に印刷されるラベル１Ｂを示す。図５Ｂでは、物品の消費期限または賞味期限が土曜日である場合に印刷されるラベル１Ｂを示す。この場合、識別情報印刷エリア１４Ｂに、土曜日であることを表す識別情報１５Ｓａｔが印刷される。
【００５４】
識別情報１５Ｓａｔは、各識別パターン１０Ｍｏｎ、１０Ｔｕｅ、１０Ｗｅｄ、１０Ｔｈｕ、１０Ｆｒｉと同等の大きさの枠１５ａと、土曜日であることを表す標記、及び、曜日に対応した日付を含む文字情報１５ｂが印刷される。識別情報１５Ｓａｔの色は、ラベル色と異なり、本例ではラベルプリンタで印刷可能な黒である。
【００５５】
印刷エリア１１には、物品名１１ａ、消費期限または賞味期限等の期限情報１１ｂ及び符号化情報１１ｃが使用期限情報として印刷される。
【００５６】
図５Ｃでは、物品の消費期限または賞味期限が日曜日である場合に印刷されるラベル１Ｂを示す。この場合、識別情報印刷エリア１４Ｂに、日曜日であることを表す識別情報１５Ｓｕｎが印刷される。
【００５７】
識別情報１５Ｓｕｎは、各識別パターン１０Ｍｏｎ、１０Ｔｕｅ、１０Ｗｅｄ、１０Ｔｈｕ、１０Ｆｒｉと同等の大きさの枠１５ｃ内が塗りつぶされ、この枠１５ｃ内に、日曜日であることを表す文字、及び、曜日に対応した日付を含む文字情報１５ｄが印刷される。識別情報１５Ｓｕｎは、識別情報１５Ｓａｔに対する白黒反転印刷であり、枠１５ｃ内の色は、ラベル色と異なり、本例ではラベルプリンタで印刷可能な黒である。また、文字情報１５ｄの色はラベル色、本例では白である。
【００５８】
印刷エリア１１には、物品名１１ａ、消費期限または賞味期限等の期限情報１１ｂ及び符号化情報１１ｃが使用期限情報として印刷される。
【００５９】
第２の実施の形態のラベル１Ｂでは、曜日に対応して５色で区別された識別パターン１０Ｍｏｎ、１０Ｔｕｅ、１０Ｗｅｄ、１０Ｔｈｕ、１０Ｆｒｉが予め印刷される。このラベル１Ｂの使用形態としては、識別パターン１０Ｍｏｎ、１０Ｔｕｅ、１０Ｗｅｄ、１０Ｔｈｕ、１０Ｆｒｉで表される曜日のうち、消費期限、賞味期限等が到来した特定の曜日を他の曜日と区別して視認可能とするため、該当する曜日の識別パターンに重ねて識別情報１３が印刷される。
【００６０】
識別パターン１０Ｍｏｎ、１０Ｔｕｅ、１０Ｗｅｄ、１０Ｔｈｕ、１０Ｆｒｉで表されない残りの曜日については、識別情報印刷エリア１４Ｂに識別情報１５Ｓａｔまたは識別情報１５Ｓｕｎが印刷される。識別情報１５Ｓｕｎと識別情報１５Ｓａｔは、一方に対し他方が白黒反転印刷で実現されることで、黒で２通りの表記が可能である。よって、５色の識別パターン１０Ｍｏｎ、１０Ｔｕｅ、１０Ｗｅｄ、１０Ｔｈｕ、１０Ｆｒｉと、１つの識別情報印刷エリア１４Ｂで、７曜日を表すことが可能である。
【００６１】
これにより、識別パターン１０Ｍｏｎ、１０Ｔｕｅ、１０Ｗｅｄ、１０Ｔｈｕ、１０Ｆｒｉの中で、識別情報１３が印刷された識別パターンの色を見るか、または、識別情報印刷エリア１４Ｂに識別情報１５Ｓｕｎか識別情報１５Ｓａｔが印刷されているか否かを見ることで、曜日を容易に認識できる。
【００６２】
また、ラベル１Ｂは、識別パターン１０Ｍｏｎ、１０Ｔｕｅ、１０Ｗｅｄ、１０Ｔｈｕ、１０Ｆｒｉが予め印刷されているので、ラベル１Ｂに印刷を行うラベルプリンタは、カラー印刷を行う機能が必要ない。さらに、識別パターン１０Ｍｏｎ、１０Ｔｕｅ、１０Ｗｅｄ、１０Ｔｈｕ、１０Ｆｒｉは５色で印刷可能であり、ラベル１Ｂのコストを下げることができる。なお、図５Ｄでは、物品の消費期限または賞味期限が水曜日である場合に印刷されるラベル１Ｂを示す。本例では、識別パターン１０Ｗｅｄに重ねて識別情報１３が印刷されると共に、識別パターン１０Ｗｅｄ以外の識別パターン１０Ｍｏｎ、１０Ｔｕｅ、１０Ｔｈｕ、１０Ｆｒｉと、識別情報印刷エリア１４Ｂに直線、破線等の取り消し線１５Ｅを印刷しても良い。これにより、識別情報１３、識別情報１５Ｓｕｎあるいは識別情報１５Ｓａｔが印刷されているか否かに加え、取り消し線１５Ｅが印刷された識別パターン１０Ｍｏｎ、１０Ｔｕｅ、１０Ｗｅｄ、１０Ｔｈｕ、１０Ｆｒｉ、識別情報印刷エリア１４Ｂを見ることで、曜日を容易に認識できる。
【００６３】
＜第３の実施の形態のラベルの構成例＞
図６は、第３の実施の形態のラベルの一例を示す構成図である。第３の実施の形態のラベル１Ｃは、色または模様、あるいは、色及び模様で情報を識別可能とする識別エリア１０Ｃを備える。また、ラベル１Ｃは、物品名、物品の消費期限等の期限情報を示す日時等が印刷される印刷エリア１１を備える。上述したように、印刷エリア１１は第１の印刷エリアとも称し、識別エリア１０Ｃは第２の印刷エリアとも称す。
【００６４】
ラベル１Ｃは、情報として曜日と時間帯を識別できるようにするため、１４個の識別パターン１０ＳｕｎＡＭ、１０ＳｕｎＰＭ、１０ＭｏｎＡＭ、１０ＭｏｎＰＭ、１０ＴｕｅＡＭ、１０ＴｕｅＰＭ、１０ＷｅｄＡＭ、１０ＷｅｄＰＭ、１０ＴｈｕＡＭ、１０ＴｈｕＰＭ、１０ＦｒｉＡＭ、１０ＦｒｉＰＭ、１０ＳａｔＡＭ、１０ＳａｔＰＭが、識別エリア１０Ｃに予め印刷等により設けられる。
【００６５】
ラベル１Ｃでは、一方の識別パターン１０ＳｕｎＡＭ、１０ＭｏｎＡＭ、１０ＴｕｅＡＭ、１０ＷｅｄＡＭ、１０ＴｈｕＡＭ、１０ＦｒｉＡＭ、１０ＳａｔＡＭが７色に色分けされる。また、他方の識別パターン１０ＳｕｎＰＭ、１０ＭｏｎＰＭ、１０ＴｕｅＰＭ、１０ＷｅｄＰＭ、１０ＴｈｕＰＭ、１０ＦｒｉＰＭ、１０ＳａｔＰＭが、上述した一方の識別パターンと同じ７色に色分けされる。なお、図面では各識別パターンをモノクロで示すため、色をハッチング、格子等に置き換えて区別している。
【００６６】
ラベル１Ｃは、ラベル１Ｃの横方向を行方向、縦方向を列方向としたとき、ラベル１Ｃの列方向の先端側（ラベル上段側）に、識別エリア１０Ｃが設けられる。
【００６７】
識別パターン１０ＳｕｎＡＭ、１０ＭｏｎＡＭ、１０ＴｕｅＡＭ、１０ＷｅｄＡＭ、１０ＴｈｕＡＭ、１０ＦｒｉＡＭ、１０ＳａｔＡＭは、識別エリア１０Ｃを、ラベル１Ｃの行方向に７色で色分けされて構成される。また、識別パターン１０ＳｕｎＡＭ、１０ＭｏｎＡＭ、１０ＴｕｅＡＭ、１０ＷｅｄＡＭ、１０ＴｈｕＡＭ、１０ＦｒｉＡＭ、１０ＳａｔＡＭは、ラベル１Ｃの行方向に直線上に並べて構成される。
【００６８】
識別パターン１０ＳｕｎＰＭ、１０ＭｏｎＰＭ、１０ＴｕｅＰＭ、１０ＷｅｄＰＭ、１０ＴｈｕＰＭ、１０ＦｒｉＰＭ、１０ＳａｔＰＭは、識別エリア１０Ｃを、ラベル１Ｃの行方向に７色で色分けされて構成される。また、識別パターン１０ＳｕｎＰＭ、１０ＭｏｎＰＭ、１０ＴｕｅＰＭ、１０ＷｅｄＰＭ、１０ＴｈｕＰＭ、１０ＦｒｉＰＭ、１０ＳａｔＰＭは、ラベル１Ｃの行方向に直線上に並べて構成される。
【００６９】
識別パターン１０ＳｕｎＡＭ、１０ＭｏｎＡＭ、１０ＴｕｅＡＭ、１０ＷｅｄＡＭ、１０ＴｈｕＡＭ、１０ＦｒｉＡＭ、１０ＳａｔＡＭと、識別パターン１０ＳｕｎＰＭ、１０ＭｏｎＰＭ、１０ＴｕｅＰＭ、１０ＷｅｄＰＭ、１０ＴｈｕＰＭ、１０ＦｒｉＰＭ、１０ＳａｔＰＭは、ラベル１Ｃの列方向に二列に並べて構成される。
【００７０】
識別パターン１０ＳｕｎＡＭと識別パターン１０ＳｕｎＰＭは、ラベル１Ｃの列方向に一列に並べて構成される。以下同様に、識別パターン１０ＭｏｎＡＭと識別パターン１０ＭｏｎＰＭは、ラベル１Ｃの列方向に直線上に並べて構成され、識別パターン１０ＴｕｅＡＭと識別パターン１０ＴｕｅＰＭは、ラベル１Ｃの列方向に直線上に並べて構成され、識別パターン１０ＷｅｄＡＭと識別パターン１０ＷｅｄＰＭは、ラベル１Ｃの列方向に直線上に並べて構成される。また、識別パターン１０ＴｈｕＡＭと識別パターン１０ＴｈｕＰＭは、ラベル１Ｃの列方向に直線上に並べて構成され、識別パターン１０ＦｒｉＡＭと識別パターン１０ＦｒｉＰＭは、ラベル１Ｃの列方向に直線上に並べて構成され、識別パターン１０ＳａｔＡＭと識別パターン１０ＳａｔＰＭは、ラベル１Ｃの列方向に直線上に並べて構成される。
【００７１】
各識別パターン１０ＳｕｎＡＭ、１０ＳｕｎＰＭ、１０ＭｏｎＡＭ、１０ＭｏｎＰＭ、１０ＴｕｅＡＭ、１０ＴｕｅＰＭ、１０ＷｅｄＡＭ、１０ＷｅｄＰＭ、１０ＴｈｕＡＭ、１０ＴｈｕＰＭ、１０ＦｒｉＡＭ、１０ＦｒｉＰＭ、１０ＳａｔＡＭ、１０ＳａｔＰＭは、本例では同じ大きさである。なお、識別パターン１０ＳｕｎＡＭ、１０ＳｕｎＰＭ、１０ＭｏｎＡＭ、１０ＭｏｎＰＭ、１０ＴｕｅＡＭ、１０ＴｕｅＰＭ、１０ＷｅｄＡＭ、１０ＷｅｄＰＭ、１０ＴｈｕＡＭ、１０ＴｈｕＰＭ、１０ＦｒｉＡＭ、１０ＦｒｉＰＭ、１０ＳａｔＡＭ、１０ＳａｔＰＭは、隣り合う識別パターンの間にラベル色、本例では白色の部分が設けられている。
【００７２】
識別パターン１０ＳｕｎＡＭ、１０ＳｕｎＰＭは、特定の曜日、本例では日曜日を示す。識別パターン１０ＳｕｎＡＭ、１０ＳｕｎＰＭは、例えば赤色で塗られている。識別パターン１０ＳｕｎＡＭは、日曜日の午前の時間帯を示し、識別パターン１０ＳｕｎＰＭは、日曜日の午後の時間帯を示す。識別パターン１０ＳｕｎＡＭと識別パターン１０ＳｕｎＰＭは、同じ色で例えば模様の違いにより区別可能としている。
【００７３】
識別パターン１０ＭｏｎＡＭ、１０ＭｏｎＰＭは、特定の曜日、本例では月曜日を示す。識別パターン１０ＭｏｎＡＭ、１０ＭｏｎＰＭは、例えば黄色で塗られている。識別パターン１０ＭｏｎＡＭは、月曜日の午前の時間帯を示し、識別パターン１０ＭｏｎＰＭは、月曜日の午後の時間帯を示す。識別パターン１０ＭｏｎＡＭと識別パターン１０ＭｏｎＰＭは、同じ色で例えば模様の違いにより区別可能としている。
【００７４】
識別パターン１０ＴｕｅＡＭ、１０ＴｕｅＰＭは、特定の曜日、本例では火曜日を示す。識別パターン１０ＴｕｅＡＭ、１０ＴｕｅＰＭは、例えば桃色で塗られている。識別パターン１０ＴｕｅＡＭは、火曜日の午前の時間帯を示し、識別パターン１０ＴｕｅＰＭは、火曜日の午後の時間帯を示す。識別パターン１０ＴｕｅＡＭと識別パターン１０ＴｕｅＰＭは、同じ色で例えば模様の違いにより区別可能としている。
【００７５】
識別パターン１０ＷｅｄＡＭ、１０ＷｅｄＰＭは、特定の曜日、本例では水曜日を示す。識別パターン１０ＷｅｄＡＭ、１０ＷｅｄＰＭは、例えば紫色で塗られている。識別パターン１０ＷｅｄＡＭは、水曜日の午前の時間帯を示し、識別パターン１０ＷｅｄＰＭは、水曜日の午後の時間帯を示す。識別パターン１０ＷｅｄＡＭと識別パターン１０ＷｅｄＰＭは、同じ色で例えば模様の違いにより区別可能としている。
【００７６】
識別パターン１０ＴｈｕＡＭ、１０ＴｈｕＰＭは、特定の曜日、本例では木曜日を示す。識別パターン１０ＴｈｕＡＭ、１０ＴｈｕＰＭは、例えば緑色で塗られている。識別パターン１０ＴｈｕＡＭは、木曜日の午前の時間帯を示し、識別パターン１０ＴｈｕＰＭは、木曜日の午後の時間帯を示す。識別パターン１０ＴｈｕＡＭと識別パターン１０ＴｈｕＰＭは、同じ色で例えば模様の違いにより区別可能としている。
【００７７】
識別パターン１０ＦｒｉＡＭ、１０ＦｒｉＰＭは、特定の曜日、本例では金曜日を示す。識別パターン１０ＦｒｉＡＭ、１０ＦｒｉＰＭは、例えば橙色で塗られている。識別パターン１０ＦｒｉＡＭは、金曜日の午前の時間帯を示し、識別パターン１０ＦｒｉＰＭは、金曜日の午後の時間帯を示す。識別パターン１０ＦｒｉＡＭと識別パターン１０ＦｒｉＰＭは、同じ色で例えば模様の違いにより区別可能としている。
【００７８】
識別パターン１０ＳａｔＡＭ、１０ＳａｔＰＭは、特定の曜日、本例では土曜日を示す。識別パターン１０ＳａｔＡＭ、１０ＳａｔＰＭは、例えば青色で塗られている。識別パターン１０ＳａｔＡＭは、土曜日の午前の時間帯を示し、識別パターン１０ＳａｔＰＭは、土曜日の午後の時間帯を示す。識別パターン１０ＳａｔＡＭと識別パターン１０ＳａｔＰＭは、同じ色で例えば模様の違いにより区別可能としている。
【００７９】
ラベル１Ｃは、図２で説明した第１の実施の形態のラベル１Ａと同様に、長尺の台紙に剥離可能に張り付けられた台紙付きラベルＬｂの形態で供給される。
【００８０】
図７Ａ、図７Ｂは、第３の実施の形態のラベルの使用例を示す構成図である。ラベル１Ｃは、特定の曜日と時間帯を他の曜日と区別して視認可能とするため、該当する曜日、時間帯の識別パターンに重ねて識別情報１３が印刷される。
【００８１】
識別情報１３は、識別パターン１０ＳｕｎＡＭ、１０ＳｕｎＰＭ、１０ＭｏｎＡＭ、１０ＭｏｎＰＭ、１０ＴｕｅＡＭ、１０ＴｕｅＰＭ、１０ＷｅｄＡＭ、１０ＷｅｄＰＭ、１０ＴｈｕＡＭ、１０ＴｈｕＰＭ、１０ＦｒｉＡＭ、１０ＦｒｉＰＭ、１０ＳａｔＡＭ、１０ＳａｔＰＭを囲う枠１３ａと、曜日、日付等の文字情報１３ｂと、午前、午後を示す時間帯情報１３ｃで構成される。枠１３ａは、識別パターン１０ＳｕｎＡＭ、１０ＳｕｎＰＭ、１０ＭｏｎＡＭ、１０ＭｏｎＰＭ、１０ＴｕｅＡＭ、１０ＴｕｅＰＭ、１０ＷｅｄＡＭ、１０ＷｅｄＰＭ、１０ＴｈｕＡＭ、１０ＴｈｕＰＭ、１０ＦｒｉＡＭ、１０ＦｒｉＰＭ、１０ＳａｔＡＭ、１０ＳａｔＰＭの外形に沿った四角形で構成される。文字情報１３ｂは、識別パターン１０ＳｕｎＡＭ、１０ＳｕｎＰＭ、１０ＭｏｎＡＭ、１０ＭｏｎＰＭ、１０ＴｕｅＡＭ、１０ＴｕｅＰＭ、１０ＷｅｄＡＭ、１０ＷｅｄＰＭ、１０ＴｈｕＡＭ、１０ＴｈｕＰＭ、１０ＦｒｉＡＭ、１０ＦｒｉＰＭ、１０ＳａｔＡＭ、１０ＳａｔＰＭの色に対応した曜日と、曜日に対応した日付が文字で印刷される。時間帯情報１３ｃは、午前または午後を示す文字が印刷される。識別情報１３の色は、識別パターン１０ＳｕｎＡＭ、１０ＳｕｎＰＭ、１０ＭｏｎＡＭ、１０ＭｏｎＰＭ、１０ＴｕｅＡＭ、１０ＴｕｅＰＭ、１０ＷｅｄＡＭ、１０ＷｅｄＰＭ、１０ＴｈｕＡＭ、１０ＴｈｕＰＭ、１０ＦｒｉＡＭ、１０ＦｒｉＰＭ、１０ＳａｔＡＭ、１０ＳａｔＰＭ及びラベル色と異なり、本例ではラベルプリンタで印刷可能な黒である。
【００８２】
図７Ａでは、物品の消費期限または賞味期限が土曜日の午前である場合に印刷されるラベル１Ｃを示す。この場合、識別パターン１０ＳａｔＡＭに重ねて識別情報１３が印刷される。識別情報１３では、枠１３ａで識別パターン１０ＳａｔＡＭが囲われる。また、識別パターン１０ＳａｔＡＭの色、本例では青色に対応した曜日である土曜日を示す文字と、曜日に対応した日付と、午前を示す時間帯が文字で印刷される。
【００８３】
印刷エリア１１には、物品名１１ａ、消費期限または賞味期限等の期限情報１１ｂ及び符号化情報１１ｃが使用期限情報として印刷される。
【００８４】
図７Ｂでは、物品の消費期限または賞味期限が土曜日の午後である場合に印刷されるラベル１Ｃを示す。この場合、識別パターン１０ＳａｔＰＭに重ねて識別情報１３が印刷される。識別情報１３では、枠１３ａで識別パターン１０ＳａｔＰＭが囲われる。また、識別パターン１０ＳａｔＰＭの色、本例では青色に対応した曜日である土曜日を示す文字と、曜日に対応した日付と、午後を示す時間帯が文字で印刷される。
【００８５】
印刷エリア１１には、物品名１１ａ、消費期限または賞味期限等の期限情報１１ｂ及び符号化情報１１ｃが使用期限情報として印刷される。
【００８６】
第３の実施の形態のラベル１Ｃでは、曜日に対応して７色で区別された識別パターン１０ＳｕｎＡＭ、１０ＭｏｎＡＭ、１０ＴｕｅＡＭ、１０ＷｅｄＡＭ、１０ＴｈｕＡＭ、１０ＦｒｉＡＭ、１０ＳａｔＡＭと、識別パターン１０ＳｕｎＰＭ、１０ＭｏｎＰＭ、１０ＴｕｅＰＭ、１０ＷｅｄＰＭ、１０ＴｈｕＰＭ、１０ＦｒｉＰＭ、１０ＳａｔＰＭが、時間帯で区別されて予め印刷される。このラベル１Ｃの使用形態としては、消費期限、賞味期限等が到来した特定の曜日及び時間帯を他の曜日と区別して視認可能とするため、該当する曜日及び時間帯の識別パターンに重ねて識別情報１３が印刷される。
【００８７】
これにより、識別パターン１０ＳｕｎＡＭ、１０ＭｏｎＡＭ、１０ＴｕｅＡＭ、１０ＷｅｄＡＭ、１０ＴｈｕＡＭ、１０ＦｒｉＡＭ、１０ＳａｔＡＭと、識別パターン１０ＳｕｎＰＭ、１０ＭｏｎＰＭ、１０ＴｕｅＰＭ、１０ＷｅｄＰＭ、１０ＴｈｕＰＭ、１０ＦｒｉＰＭ、１０ＳａｔＰＭの中で、識別情報１３が印刷された識別パターンの色を見ることで、曜日を容易に認識できる。また、列方向に並ぶ識別パターンの中で、どちらの識別パターンに識別情報１３が印刷されているか見ることで、時間帯を容易に認識できる。
【００８８】
さらに、ラベル１Ｃは、識別パターン１０ＳｕｎＡＭ、１０ＭｏｎＡＭ、１０ＴｕｅＡＭ、１０ＷｅｄＡＭ、１０ＴｈｕＡＭ、１０ＦｒｉＡＭ、１０ＳａｔＡＭと、識別パターン１０ＳｕｎＰＭ、１０ＭｏｎＰＭ、１０ＴｕｅＰＭ、１０ＷｅｄＰＭ、１０ＴｈｕＰＭ、１０ＦｒｉＰＭ、１０ＳａｔＰＭが予め印刷されているので、ラベル１Ｃに印刷を行うラベルプリンタは、カラー印刷を行う機能が必要ない。
【００８９】
＜第４の実施の形態のラベルの構成例＞
図８は、第４の実施の形態のラベルの一例を示す構成図である。第４の実施の形態のラベル１Ｄは、色または模様、あるいは、色及び模様で情報を識別可能とする識別エリア１０Ｄを備える。また、ラベル１Ｄは、物品名、物品の消費期限等の期限情報を示す日時等が印刷される印刷エリア１１を備える。上述したように、印刷エリア１１は第１の印刷エリアとも称し、識別エリア１０Ｄは第２の印刷エリアとも称す。
【００９０】
ラベル１Ｄは、情報として物品である食品に含まれるアレルギー物質を識別できるようにするため、表示義務がある７種のアレルギー物質に対応して７個の識別パターン１０Ｄ１〜１０Ｄ７が、識別エリア１０Ｄに予め印刷等により設けられる。また、表示が奨励されるアレルギー物質に対応して、例えば３個の識別パターン１０Ｄ１１〜１０Ｄ１３が、識別エリア１０Ｄに予め印刷等により設けられる。
【００９１】
ラベル１Ｄでは、識別パターン１０Ｄ１〜１０Ｄ７が７色に色分けされる。また、識別パターン１０Ｄ１１〜１０Ｄ１３が他の３色に色分けされる。アレルギー物質と識別パターンの色は、予め対応付けられている。なお、図面では各識別パターンをモノクロで示すため、色をハッチング、格子等に置き換えて区別している。
【００９２】
ラベル１Ｄは、ラベル１Ｄの横方向を行方向、縦方向を列方向としたとき、ラベル１Ｄの列方向の先端側（ラベル上段側）に、識別エリア１０Ｄが設けられる。
【００９３】
識別パターン１０Ｄ１〜１０Ｄ７は、識別エリア１０Ｄを、ラベル１Ｄの行方向に７色で色分けされて構成される。また、識別パターン１０Ｄ１〜１０Ｄ７は、ラベル１Ｄの行方向に直線上に並べて構成される。
【００９４】
識別パターン１０Ｄ１１〜１０Ｄ１３は、識別エリア１０Ｄを、ラベル１Ｄの行方向に３色で色分けされて構成される。また、識別パターン１０Ｄ１１〜１０Ｄ１３は、ラベル１Ｄの行方向に直線上に並べて構成される。
【００９５】
識別パターン１０Ｄ１〜１０Ｄ７と、識別パターン１０Ｄ１１〜１０Ｄ１３は、ラベル１Ｄの列方向に二列に並べて構成される。
【００９６】
ラベル１Ｄは、図２で説明した第１の実施の形態のラベル１Ａと同様に、長尺の台紙に剥離可能に張り付けられた台紙付きラベルＬｂの形態で供給される。
【００９７】
図９Ａ、図９Ｂは、第４の実施の形態のラベルの使用例を示す構成図である。ラベル１Ｄは、特定のアレルギー物質が含まれることを視認可能とするため、該当するアレルギー物質の識別パターンに重ねて識別情報１６が印刷される。
【００９８】
識別情報１６は、識別パターン１０Ｄ１〜１０Ｄ７と、識別パターン１０Ｄ１１〜１０Ｄ１３を囲う枠１６ａと、アレルギー物質の物質名等の文字情報１６ｂで構成される。枠１６ａは、識別パターン１０Ｄ１〜１０Ｄ７、識別パターン１０Ｄ１１〜１０Ｄ１３の外形に沿った四角形で構成される。文字情報１６ｂは、識別パターン１０Ｄ１〜１０Ｄ７、識別パターン１０Ｄ１１〜１０Ｄ１３の色に対応したアレルギー物質の物質名が文字で印刷される。識別情報１６の色は、識別パターン１０Ｄ１〜１０Ｄ７、識別パターン１０Ｄ１１〜１０Ｄ１３及びラベル色と異なり、本例ではラベルプリンタで印刷可能な黒である。
【００９９】
図９Ａでは、食品に含まれるアレルギー物質が、表示義務がある７種に含まれるものである場合に印刷されるラベル１Ｄを示す。食品に含まれるアレルギー物質が例えば卵である場合、卵に対応した識別パターン、本例では識別パターン１０Ｄ７に重ねて識別情報１６が印刷される。識別情報１６では、枠１６ａで識別パターン１０Ｄ７が囲われる。また、識別パターン１０Ｄ７の色に対応したアレルギー物質の物質名である卵を示す文字が印刷される。
【０１００】
印刷エリア１１には、物品名１１ａ、消費期限または賞味期限等の期限情報１１ｂ及び符号化情報１１ｃが使用期限情報として印刷される。
【０１０１】
図９Ｂでは、食品に含まれるアレルギー物質が、表示が奨励されるものである場合に印刷されるラベル１Ｄを示す。食品に含まれるアレルギー物質が例えば大豆である場合、卵に対応した識別パターン、本例では識別パターン１０Ｄ１３に重ねて識別情報１６が印刷される。識別情報１６では、枠１６ａで識別パターン１０Ｄ１３が囲われる。また、識別パターン１０Ｄ１３の色に対応したアレルギー物質の物質名である大豆を示す文字が印刷される。
【０１０２】
印刷エリア１１には、物品名１１ａ、消費期限または賞味期限等の期限情報１１ｂ及び符号化情報１１ｃが使用期限情報として印刷される。
【０１０３】
第４の実施の形態のラベル１Ｄでは、表示義務があるアレルギー物質に対応して７色で区別された識別パターン１０Ｄ１〜１０Ｄ７と、表示が奨励されるアレルギー物質に対応して例えば３色で区別された識別パターン１０Ｄ１１〜１０Ｄ１３が予め印刷される。このラベル１Ｄの使用形態としては、特定のアレルギー物質が含まれることを視認可能とするため、該当するアレルギー物質に対応した識別パターンに重ねて識別情報１６が印刷される。
【０１０４】
これにより、識別パターン１０Ｄ１〜１０Ｄ７と、識別パターン１０Ｄ１１〜１０Ｄ１３の中で、識別情報１６が印刷された識別パターンの色を見ることで、食品に含まれるアレルギー物質を容易に認識できる。
【０１０５】
また、ラベル１Ｄは、識別パターン１０Ｄ１〜１０Ｄ７と、識別パターン１０Ｄ１１〜１０Ｄ１３が予め印刷されているので、ラベル１Ｄに印刷を行うラベルプリンタは、カラー印刷を行う機能が必要ない。
【０１０６】
なお、上述した各実施の形態のラベルでは、識別パターンが色で区別されるようにしたが。図示したようなハッチング等の模様で区別するようにしても良い。
【０１０７】
＜本実施の形態のラベルプリンタの構成例＞
図１０Ａは、本実施の形態のラベルプリンタの一例を示す機能構成図、図１０Ｂ、図１０Ｃ、図１０Ｄ及び図１０Ｅは、本実施の形態のラベルプリンタの記憶部の一例を示すテーブルである。また、図１１は、本実施の形態のラベルプリンタの一例を示す構成図である。
【０１０８】
ラベルプリンタＬＰは、図２で説明したように、ラベル１Ａ等が貼着された長尺状の台紙１２が巻かれた形態で提供される台紙付きラベルＬｂが装填される。ラベルプリンタＬＰは、台紙付きラベルＬｂに貼着されたラベル１Ａ等に印刷を行う印刷ヘッド２０と、印刷ヘッド２０に対向して設けられ、台紙付きラベルＬｂを搬送するプラテンローラ２１と、プラテンローラ２１を駆動する搬送モータ２１Ｍを備える。また、ラベルプリンタＬＰは、ラベルの有無、及び、ラベルの先端位置等を検知するラベルセンサ２２と、台紙１２の裏面に印刷されたラベル識別情報１２ａを読み取る読取部２３を備える。
【０１０９】
印刷ヘッド２０は印刷部の一例で、本例ではサーマルヘッドで構成される。プラテンローラ２１と搬送モータ２１Ｍは搬送部の一例で、台紙付きラベルＬｂを搬送する。ラベルセンサ２２はラベル検知部の一例で、ラベル１Ａ等の先端が所定の位置まで搬送されたことを検知する。ラベルセンサ２２は、例えば発光素子と受光素子とからなるセンサ（透過型センサ）で構成される。読取部２３は、例えば発光素子と受光素子とからなるセンサ（反射型センサ）で構成される。
【０１１０】
ラベルプリンタＬＰは、図１で説明したラベル１Ａ等に、物品名１１ａ、消費期限または賞味期限等の期限情報１１ｂ、符号化情報１１ｃ等を使用期限情報として印刷すると共に、ラベル１Ａ等に予め印刷された識別パターン１０Ｓｕｎ、１０Ｍｏｎ、１０Ｔｕｅ、１０Ｗｅｄ、１０Ｔｈｕ、１０Ｆｒｉ、１０Ｓａｔ等に識別情報１３を印刷する制御部１００を備える。また、ラベルプリンタＬＰは、ラベル１Ａ等に印刷される項目及び項目の内容が設定されたラベル印刷データ等が記憶される記憶部１０１を備える。
【０１１１】
ラベル印刷データは、パーソナルコンピュータ等の図示しない情報処理装置で、所定のラベル作成アプリケーションを実行して作成される。情報処理装置で作成されたラベル印刷データは、本例では外部メモリ等で提供される。
【０１１２】
また、ラベルプリンタＬＰは、ラベル１Ａ等に使用期限情報及び識別情報１３等が印刷される期限ラベルＬｔを発行する操作等を受ける入力部２４を備える。さらに、ラベルプリンタＬＰは、期限ラベルＬｔを発行する操作画面等が表示される表示部２５を備える。さらに、ラベルプリンタＬＰは、年月日及び時刻を特定する日時情報を生成する時計部２６を備える。
【０１１３】
制御部１００は、ＣＰＵ、ＭＰＵと称されるマイクロプロセッサ等を備える。記憶部１０１は、ＲＡＭ、フラッシュメモリ等の記憶装置で構成される。制御部１００は、図２に示す台紙１２に設けられたラベル識別情報１２ａを、台紙付きラベルＬｂの種別の識別に利用する。また、制御部１００は、台紙付きラベルＬｂの種別に応じて、第１の印刷エリアである図１等に示す印刷エリア１１に使用期限情報を印刷する。また、第２の印刷エリアである識別エリア１０Ａ、１０Ｂ、１０Ｃに、曜日に応じて識別情報１３を印刷する。また、ラベルがラベル１Ｂであれば、識別情報印刷エリア１４Ｂに識別情報１５Ｓａｔ、１５Ｓｕｎを印刷する。ラベルがラベル１Ｄであれば、第２の印刷エリアである識別エリア１０Ｄに、アレルギー物質に応じて識別情報１６を印刷する。さらに、識別エリア１０Ａ、１０Ｂ、１０Ｃ、１０Ｄに、取り消し線１５Ｅを印刷しても良い。
【０１１４】
入力部２４は、文字や数字の入力、及び情報の選択や決定等が行える例えばボタン型のキーボード等の入力装置で構成される。表示部２５は、ディスプレイ等の表示装置で構成される。なお、入力部２４と表示部２５はタッチパネル式のディスプレイで実現されても良い。時計部２６は、日時情報として年月日、時刻が設定され、計時動作が実行される。
【０１１５】
記憶部１０１は、時計部２６で取得される現在日時に対して、期限情報１１ｂを算出するため加算される加算値情報Ｄ１が、ラベルを発行可能な物品に対応して記憶される。現在日時に加算する加算値情報Ｄ１の加算値は、図１０Ｂに示すように、日、時、分、または所定時刻迄等で設定される。また、記憶部１０１は、期限情報１１ｂとして算出される年月日と曜日が対応付けられた曜日情報Ｄ２が記憶される。曜日情報Ｄ２は、図１０Ｂに示すように、本例では便宜的に１週間分の年月日と対応する曜日を記載する。さらに、記憶部１０１は、識別パターンの位置、色、数等と、曜日が対応付けられた識別パターン位置情報Ｄ３が記憶される。
【０１１６】
印刷対象のラベルが、図１で説明したラベル１Ａであれば、図１０Ｃのテーブルに示すように、図１で説明した識別パターン１０Ｓｕｎ、１０Ｍｏｎ、１０Ｔｕｅ、１０Ｗｅｄ、１０Ｔｈｕ、１０Ｆｒｉ、１０Ｓａｔの位置及び色と、曜日が対応付けられた識別パターン位置情報Ｄ３Ａが記憶される。識別パターン１０Ｓｕｎ、１０Ｍｏｎ、１０Ｔｕｅ、１０Ｗｅｄ、１０Ｔｈｕ、１０Ｆｒｉ、１０Ｓａｔの位置は、便宜的に図１のラベル１Ａの左上から右方向に識別パターン１０Ｓｕｎ〜１０Ｓａｔに対応させてＰ１〜Ｐ７の符号を用いたが、具体的には、ラベルの所定の位置を原点とした座標データ等が与えられる。
【０１１７】
印刷対象のラベルが、図４で説明したラベル１Ｂであれば、図１０Ｃのテーブルに示すように、図４で説明した識別パターン１０Ｍｏｎ、１０Ｔｕｅ、１０Ｗｅｄ、１０Ｔｈｕ、１０Ｆｒｉの位置及び色と、識別情報印刷エリア１４Ｂの位置と、曜日が対応付けられた識別パターン位置情報Ｄ３Ｂが記憶される。識別パターン１０Ｍｏｎ、１０Ｔｕｅ、１０Ｗｅｄ、１０Ｔｈｕ、１０Ｆｒｉと、識別情報印刷エリア１４Ｂの位置は、便宜的に図４のラベル１Ｂの左上から右方向に識別情報印刷エリア１４Ｂ、識別パターン１０Ｍｏｎ〜１０Ｆｒｉに対応させてＰ１〜Ｐ６の符号を用いたが、具体的には、ラベルの所定の位置を原点とした座標データ等が与えられる。
【０１１８】
印刷対象のラベルが、図６で説明したラベル１Ｃであれば、図１０Ｄのテーブルに示すように、図６で説明した識別パターン１０ＳｕｎＡＭ、１０ＳｕｎＰＭ、１０ＭｏｎＡＭ、１０ＭｏｎＰＭ、１０ＴｕｅＡＭ、１０ＴｕｅＰＭ、１０ＷｅｄＡＭ、１０ＷｅｄＰＭ、１０ＴｈｕＡＭ、１０ＴｈｕＰＭ、１０ＦｒｉＡＭ、１０ＦｒｉＰＭ、１０ＳａｔＡＭ、１０ＳａｔＰＭの位置及び色と、曜日、午前（ＡＭ）・午後（ＰＭ）が対応付けられた識別パターン位置情報Ｄ３Ｃが記憶される。識別パターンの位置は、便宜的に図６のラベル１Ｃの左上から右方向に、上段に識別パターン１０ＳｕｎＡＭ〜１０ＳａｔＡＭに対応させてＰ１〜Ｐ７、下段に識別パターン１０ＳｕｎＰＭ〜１０ＳａｔＰＭに対応させてＰ８〜Ｐ１４の符号を用いたが、具体的には、ラベルの所定の位置を原点とした座標データ等が与えられる。
【０１１９】
印刷対象のラベルが、図８で説明したラベル１Ｄであれば、図１０Ｄのテーブルに示すように、図８で説明した識別パターン１０Ｄ１〜１０Ｄ７、識別パターン１０Ｄ１１〜１０Ｄ１３の位置及び色と、アレルギー物質の物質名が対応付けられた識別パターン位置情報Ｄ３Ｄが記憶される。識別パターンの位置は、便宜的に図６のラベル１Ｄの左上から右方向に、上段に識別パターン１０Ｄ１〜１０Ｄ７に対応させてＰ１〜Ｐ７、下段に識別パターンＰ１１〜Ｐ１３の符号を用いたが、具体的には、ラベルの所定の位置を原点とした座標データ等が与えられる。
【０１２０】
記憶部１０１は、印刷対象のラベルが、図８で説明したラベル１Ｄであれば、図１０Ｅに示すように、品名と特定のアレルギー物質が関連付けられたアレルギー物質情報Ｄ４が記憶される。
【０１２１】
＜本実施の形態のラベルプリンタの動作例＞
図１２は、期限ラベル発行処理の一例を示すフローチャートで、次に、各図を参照して、本実施の形態のラベルプリンタＬＰで実行される期限ラベル発行処理の動作について説明する。
【０１２２】
制御部１００は、図１２のステップＳＡ１で、使用者が表示部２５に表示された食品名等の物品名１１ａを入力部２４により選択して期限ラベルの発行指示を受けると、ステップＳＡ２で、記憶部１０１から該当する物品のラベル印刷データを取得する。
【０１２３】
制御部１００は、ステップＳＡ３で、該当する物品の期限情報１１ｂを算出するため現在日時に加算される加算値情報Ｄ１を記憶部１０１から取得し、ステップＳＡ４で、時計部２６で取得される現在日時に対して加算値を加算し期限情報１１ｂを算出する。
【０１２４】
制御部１００は、ステップＳＡ５で、図２で説明した台紙１２の裏面に印刷されたラベル識別情報１２ａを読取部２３で読み取り、印刷対象のラベルが、識別パターンが印刷されたものであるか判断する。
【０１２５】
制御部１００は、印刷対象のラベルが、識別パターンが印刷されたものではないと判断すると、ステップＳＡ６で、ラベルに物品名１１ａ、消費期限または賞味期限等の期限情報１１ｂ、符号化情報１１ｃ等を使用期限情報として印刷する。
【０１２６】
制御部１００は、印刷対象のラベルが、識別パターンが印刷されたものであると判断すると、ステップＳＡ７で、期限情報１１ｂとして算出した年月日と対応した曜日情報Ｄ２を記憶部１０１から取得する。また、制御部１００は、ステップＳＡ８で、曜日情報Ｄ２で特定される曜日に対応した識別パターン位置情報Ｄ３を記憶部１０１から取得する。識別パターン位置情報Ｄ３は、上述したように、ラベル１Ａ〜１Ｄに対応して識別パターン位置情報Ｄ３Ａ〜Ｄ３Ｄを備えている。
【０１２７】
制御部１００は、ステップＳＡ９で、期限情報１１ｂとして算出した年月日の曜日に対応した識別パターンに上述した識別情報１３を印刷すると共に、ラベルの印刷エリアに物品名１１ａ、消費期限または賞味期限等の期限情報１１ｂ、符号化情報１１ｃ等を使用期限情報として印刷する。
【０１２８】
印刷対象のラベルが、図１で説明したラベル１Ａであり、現在日時に対して加算値情報Ｄ１の加算値を加算して算出した期限情報１１ｂで特定される年月日が、曜日情報Ｄ２から、例えば２０１８年７月２１日、該当年月日が土曜日（Ｓａｔ）である場合、制御部１００は、識別パターン位置情報Ｄ３Ａの曜日、位置情報を用いて、図３Ａで説明したように、識別パターン１０Ｓａｔに重ねて識別情報１３を印刷する。識別情報１３では、枠１３ａで識別パターン１０Ｓａｔが囲われる。また、識別パターン１０Ｓａｔの色、本例では青色に対応した曜日である土曜日を示す文字と、曜日に対応した日付が文字で印刷される。
【０１２９】
また、制御部１００は、ラベル１Ａの印刷エリア１１には、物品名１１ａ、消費期限または賞味期限等の期限情報１１ｂ、符号化情報１１ｃ等を使用期限情報として印刷する。
【０１３０】
印刷対象のラベルが、図４で説明したラベル１Ｂであり、現在日時に対して加算値情報Ｄ１の加算値を加算して算出した期限情報１１ｂで特定される年月日が、曜日情報Ｄ２から、例えば、２０１８年７月２１日、該当年月日が土曜日（Ｓａｔ）である場合、制御部１００は、識別パターン位置情報Ｄ３Ｂの曜日、位置情報を用いて、図５Ｂで説明したように、識別情報印刷エリア１４Ｂに、土曜日であることを表す識別情報１５Ｓａｔを印刷する。
【０１３１】
識別情報１５Ｓａｔは、各識別パターン１０Ｍｏｎ、１０Ｔｕｅ、１０Ｗｅｄ、１０Ｔｈｕ、１０Ｆｒｉと同等の大きさの枠１５ａと、土曜日であることを表す標記、及び、曜日に対応した日付を含む文字情報１５ｂが印刷される。識別情報１５Ｓａｔの色は、ラベルプリンタＬＰで印刷可能な黒である。
【０１３２】
また、制御部１００は、ラベル１Ｂの印刷エリア１１には、物品名１１ａ、消費期限または賞味期限等の期限情報１１ｂ、符号化情報１１ｃ等を使用期限情報として印刷する。
【０１３３】
印刷対象のラベルが、図６で説明したラベル１Ｃであり、現在日時に対して加算値情報Ｄ１の加算値を加算して算出した期限情報１１ｂで特定される年月日が、曜日情報Ｄ２から、例えば、２０１８年７月２１日、該当年月日が土曜日（Ｓａｔ）で、期限情報１１ｂで特定される時間帯が午前（ＡＭ）である場合、制御部１００は、識別パターン位置情報Ｄ３Ｃの曜日、位置情報を用いて、図７Ａで説明したように、識別パターン１０ＳａｔＡＭに重ねて識別情報１３を印刷する。識別情報１３では、枠１３ａで識別パターン１０ＳａｔＡＭが囲われる。また、識別パターン１０ＳａｔＡＭの色、本例では青色に対応した曜日である土曜日を示す文字と、曜日に対応した日付と、午前を示す時間帯が文字で印刷される。
【０１３４】
また、制御部１００は、ラベル１Ｃの印刷エリア１１には、物品名１１ａ、消費期限または賞味期限等の期限情報１１ｂ、符号化情報１１ｃ等を使用期限情報として印刷する。
【０１３５】
このように、識別パターンが色分けされて予め印刷されたラベル１Ａ〜１Ｃの何れかを用いることで、消費期限または賞味期限等が到来したことを、識別パターンの色等を利用して容易に認識させることができる。
【０１３６】
印刷対象のラベルが、図８で説明したラベル１Ｄであり、現在日時に対して加算値情報Ｄ１を加算して算出した期限情報１１ｂで特定される年月日が、曜日情報Ｄ２から、例えば、２０１８年７月２１日、期限ラベルを発行すべく選択された食品に含まれるアレルギー物質が、アレルギー物質情報Ｄ４より卵である場合、制御部１００は、識別パターン位置情報Ｄ３Ｄのアレルギー、位置情報を用いて、図９Ａで説明したように、卵に対応した識別パターン、本例では識別パターン１０Ｄ７に重ねて識別情報１６を印刷する。識別情報１６では、枠１６ａで識別パターン１０Ｄ７が囲われる。また、識別パターン１０Ｄ７の色に対応したアレルギー物質の物質名である卵を示す文字が印刷される。
【０１３７】
また、制御部１００は、ラベル１Ｄの印刷エリア１１には、物品名１１ａ、消費期限または賞味期限等の期限情報１１ｂ、符号化情報１１ｃ等を使用期限情報として印刷する。
【０１３８】
このように、識別パターンが色分けされて予め印刷されたラベル１Ｄを用いることで、曜日の特定のみならず、他の情報、例えば、特定のアレルギー物質が含まれていることを、識別パターンの色等を利用して容易に認識させることができる。
【０１３９】
なお、ラベル識別情報１２ａに、ラベルの種別、例えば、ラベル１Ａ〜１Ｄの何れかであるかの情報を持たせ、制御部１００が読取部２３で読み取ったラベル識別情報１２ａからラベルプリンタに装填されているラベルが１Ａ〜１Ｄの何れかを判断し、記憶部１０１から各ラベルに対応する識別パターン位置情報Ｄ３Ａ〜Ｄ３Ｄを取得し、上述の印刷制御をするようにしても良い。また、ラベル識別情報１２ａに、ラベルの種別、例えば、ラベル１Ａ〜１Ｄの何れかであるかの情報を持たせるとともに、識別パターンの色、数、位置等を判断可能とする情報を記録しておき、制御部１００は、ラベル識別情報１２ａを読み取り、ラベルの種別に応じて識別パターンに対応して識別情報を印刷できるようにしても良い。また、本実施例では識別パターンを行方向に直線上に配置したが、列方向に直線上に配置しても良い。
【符号の説明】
【０１４０】
Ｌｂ・・・台紙付きラベル、１Ａ、１Ｂ、１Ｃ、１Ｄ・・・ラベル、１０Ａ、１０Ｂ、１０Ｃ、１０Ｄ・・・識別エリア（第２の印刷エリア）、１０Ｓｕｎ、１０Ｍｏｎ、１０Ｔｕｅ、１０Ｗｅｄ、１０Ｔｈｕ、１０Ｆｒｉ、１０Ｓａｔ・・・識別パターン、１０ＳｕｎＡＭ、１０ＳｕｎＰＭ、１０ＭｏｎＡＭ、１０ＭｏｎＰＭ、１０ＴｕｅＡＭ、１０ＴｕｅＰＭ、１０ＷｅｄＡＭ、１０ＷｅｄＰＭ、１０ＴｈｕＡＭ、１０ＴｈｕＰＭ、１０ＦｒｉＡＭ、１０ＦｒｉＰＭ、１０ＳａｔＡＭ、１０ＳａｔＰＭ・・・識別パターン、１１・・・印刷エリア（第１の印刷エリア）、１２・・・台紙、１２ａ・・・ラベル識別情報、１３・・・識別情報、１３ａ・・・枠、１３ｂ・・・文字情報、１３ｃ・・・時間帯情報、１４Ｂ・・・識別情報印刷エリア、１５Ｓａｔ、１５Ｓｕｎ・・・識別情報、１６・・・識別情報、ＬＰ・・・ラベルプリンタ、１００・・・制御部、１０１・・・記憶部、２３・・・読取部、２０・・・印刷ヘッド、２１・・・プラテンローラ、２６・・・時計部
【図１】
2020052121.tif 000003
【図２】
2020052121.tif 000004
【図３Ａ】
2020052121.tif 000005
【図３Ｂ】
2020052121.tif 000006
【図４】
2020052121.tif 000007
【図５Ａ】
2020052121.tif 000008
【図５Ｂ】
2020052121.tif 000009
【図５Ｃ】
2020052121.tif 000010
【図５Ｄ】
2020052121.tif 000011
【図６】
2020052121.tif 000012
【図７Ａ】
2020052121.tif 000013
【図７Ｂ】
2020052121.tif 000014
【図８】
2020052121.tif 000015
【図９Ａ】
2020052121.tif 000016
【図９Ｂ】
2020052121.tif 000017
【図１０Ａ】
2020052121.tif 000018
【図１０Ｂ】
2020052121.tif 000019
【図１０Ｃ】
2020052121.tif 000020
【図１０Ｄ】
2020052121.tif 000021
【図１０Ｅ】
2020052121.tif 000022
【図１１】
2020052121.tif 000023
【図１２】
2020052121.tif 000024